(57)【特許請求の範囲】
【請求項１】
年月日をカウントするタイマーと、コラム毎の販売本数を記憶するコラム別販売本数記憶手段と、コラム毎の収容本数を記憶しているコラム別収容本数記憶手段と、経過日数を記憶する経過日数記憶手段と、関連データをクリアするデータ初期化操作手段と、売切れ予告日を表示する売切れ予告表示手段と、前記売切れ予告表示手段に売切れ予告日の表示を開始する売切れ予告表示操作手段と、売切れになるまでの売切れ余裕残数を記憶する売切れ余裕残数記憶手段と、突発的な販売増加による売切れに対し余裕を持って商品補充が行えるように前記売切れ余裕残数を任意に設定できる売切れ余裕残数設定手段と、前記タイマーと前記コラム別販売本数記憶手段と前記コラム別収容本数記憶手段と前記経過日数記憶手段と前記データ初期化操作手段と前記売切れ予告表示手段と前記売切れ予告表示操作手段と前記売切れ余裕残数記憶手段と前記売切れ余裕残数設定手段に接続された演算制御部とからなり、
前記演算制御部は、前記売切れ余裕残数設定手段により設定された売切れ余裕残数を前記売切れ余裕残数記憶手段に記憶し、前記データ初期化操作手段が操作された場合に前記コラム別販売本数記憶手段と前記経過日数記憶手段に記憶されているデータをクリアし、前記タイマーにて年月日の変化を検知した場合に経過日数を前記経過日数記憶手段に記憶し、商品販売が行われた場合に該当コラムの販売本数を前記コラム別販売本数記憶手段に記憶し、前記売切れ予告表示操作手段が操作された場合に前記経過日数記憶手段に記憶されている経過日数にて前記コラム別販売本数記憶手段に記憶されているコラム毎の販売本数を除算して得られる一日当りの平均販売本数と、前記コラム別収容本数記憶手段に記憶されているコラム毎の収容本数と、前記売切れ余裕残数記憶手段に記憶されている売切れ余裕残数より、残数が売切れ余裕残数を下回る日を演算し、その日を売切れ予告日として前記売切れ予告表示手段に表示することで、突発的な販売増加による販売機会の損失を防ぐことを特徴とする自動販売機の制御装置。
【発明の詳細な説明】
【０００１】
【発明の属する技術分野】
本発明は、売切れによる販売機会の損失を防ぐ自動販売機の制御装置に関するものである。
【０００２】
【従来の技術】
近年、自動販売機の制御装置は、無駄な商品補充による商品期限切れを回避するために、コラム毎の販売実績より商品期限切れの推定や必要な商品補充本数を判定し、それを金額表示器、販売可能ランプ、売切れランプ等を用いて表示することができるようになっている。
【０００３】
従来の自動販売機の制御装置としては特開平９―６９１８４号公報に示されているものがある。
【０００４】
以下、図面を参照しながら上記以来の自動販売機の制御装置を説明する。
【０００５】
図７は、従来の自動販売機の制御装置の機能ブロック図である。図７において、１０１は演算を行うＣＰＵ、１０２は読込みのみを行える記憶手段であるＲＯＭ、１０３は読書きを行える記憶手段であるＲＡＭ、１０４は年月日時間をカウントできる時計、１０５は自動販売機を操作できるキーボード、１０６は自動販売機を初期状態にするプリセットスイッチ、１０７は商品補充を検知する投入口センサ、１０８は在庫数と残期限の表示を指示する確認指示スイッチ、１０９は在庫数と残期限の表示を行う確認表示装置、１１０は商品の払出しを指示する払出し起動スイッチ、１１１は商品を払出す商品払出し装置、１１２は販売不可を表示する販売不可表示部である。
【０００６】
以上のように構成された自動販売機の制御装置について、以下その動作を説明する。
【０００７】
まず、ＣＰＵ１０１は、商品が販売期限に達していないで、前回補充時刻から現在までの販売数が基準販売数より少ない場合に、確認起動スイッチ１０８が操作されると、売切れランプの点滅で売切れ予想を確認表示装置１０９に表示させるので、販売実績から売切れ予想ができ、販売期限切れを防ぐことができる。
【０００８】
また、ＣＰＵ１０１は、商品が販売期限に達したとき、前回補充日から販売期限までの販売数を記憶させ、確認起動スイッチ１０８が操作されたとき、その販売数を適正補充数として確認表示装置１０９に表示させるので、売切れ発生時にも次回からは、販売実績から適正補充数がわかり、商品補充回数を必要最小限とし、販売期限切れを防ぐことができる。
【０００９】
【発明が解決しようとする課題】
しかしながら、上記従来の構成は、商品期限切れの警告にとどまり、また補充本数の表示しかされないため、次回の適性な商品補充時期がわからないという欠点があった。
【００１０】
本発明は従来の課題を解決するもので、オペレーターは適正な商品補充時期を判断でき、それにより売切れが発生するまでに商品補充が行え、オペレート効率向上および売切れによる販売機会の損失を防ぐことができる自動販売機の制御装置を提供することを目的とする。
【００１２】
【課題を解決するための手段】
請求項１に記載の発明は、年月日をカウントするタイマーと、コラム毎の販売本数を記憶するコラム別販売本数記憶手段と、コラム毎の収容本数を記憶しているコラム別収容本数記憶手段と、経過日数を記憶する経過日数記憶手段と、関連データをクリアするデータ初期化操作手段と、売切れ予告日を表示する売切れ予告表示手段と、売切れ予告表示手段に売切れ予告日の表示を開始する売切れ予告表示操作手段と、売切れになるまでの売切れ余裕残数を記憶する売切れ余裕残数記憶手段と、突発的な販売増加による売切れに対し余裕を持って商品補充が行えるように売切れ余裕残数を任意に設定できる売切れ余裕残数設定手段と、タイマーとコラム別販売本数記憶手段とコラム別収容本数記憶手段と経過日数記憶手段とデータ初期化操作手段と売切れ予告表示手段と売切れ予告表示操作手段と売切れ余裕残数記憶手段と売切れ余裕残数設定手段に接続された演算制御部とからなり、演算制御部は、売切れ余裕残数設定手段により設定された売切れ余裕残数を売切れ余裕残数記憶手段に記憶し、データ初期化操作手段が操作された場合にコラム別販売本数記憶手段と経過日数記憶手段に記憶されているデータをクリアし、タイマーにて年月日の変化を検知した場合に経過日数を経過日数記憶手段に記憶し、商品販売が行われた場合に該当コラムの販売本数をコラム別販売本数記憶手段に記憶し、売切れ予告表示操作手段が操作された場合に経過日数記憶手段に記憶されている経過日数にてコラム別販売本数記憶手段に記憶されているコラム毎の販売本数を除算して得られる一日当りの平均販売本数と、コラム別収容本数記憶手段に記憶されているコラム毎の収容本数と、売切れ余裕残数記憶手段に記憶されている売切れ余裕残数より、残数が売切れ余裕残数を下回る日を演算し、その日を売切れ予告日として売切れ予告表示手段に表示することで、突発的な販売増加による販売機会の損失を防ぐものであり、売切れ予告表示操作手段を操作すると、一日当りの平均販売本数とコラム毎の収容本数と売切れ余裕残数とから演算した残数が売切れ余裕残数を下回る日を売切れ予告表示手段に表示するので、オペレーターは残数が余裕残数を下回る日を知ることができ、突発的な販売増加による売切れに対し余裕を持って商品補充が行え、売切れによる販売機会の損失を防ぐことができるという作用を有する。
【００１４】
【発明の実施の形態】
以下、本発明による自動販売機の制御装置の実施の形態について、図面を参照しながら説明する。
【００１５】
（実施の形態１）
図１は、本発明の実施の形態１による自動販売機の制御装置の機能ブロック図である。図２は、同実施の形態の動作を示すフローチャートである。
【００１６】
図１において、１は貨幣検出選別、商品販売制御、販売情報記憶等、自動販売機全体を制御する主制御部、２は年月日をカウントできるタイマー、３はコラム毎の販売本数を記憶するコラム別販売本数記憶手段、４はコラム毎の収容本数を記憶しているコラム別収容本数記憶手段、５は経過日数を記憶する経過日数記憶手段、６は関連データをクリアするデータ初期化操作手段、７は売切れ予告日を表示する売切れ予告表示手段、８は売切れ予告表示手段７に売切れ予告日の表示を開始する売切れ予告表示操作手段である。
【００１７】
９ａは演算制御部であり、データ初期化操作手段６が操作された場合にコラム別販売本数記憶手段３と経過日数記憶手段５に記憶されているデータをクリアし、タイマー２にて年月日の変化を検知した場合に経過日数を経過日数記憶手段５に記憶し、商品販売が行われた場合に該当コラムの販売本数をコラム別販売本数記憶手段３に記憶し、売切れ予告表示操作手段８が操作された場合に経過日数記憶手段５に記憶されている経過日数にてコラム別販売本数記憶手段３に記憶されているコラム毎の販売本数を除算して得られる一日当りの平均販売本数と、コラム別収容本数記憶手段４に記憶されているコラム毎の収容本数より、売切れが発生する日を演算し、その日を売切れ予告日として売切れ予告表示手段７に表示する。
【００１８】
以上のように構成された自動販売機の制御装置について、以下その動作を図２のフローチャートをもとにして説明する。
【００１９】
まず、演算制御部９ａは、データ初期化操作手段６が操作されたか否かを確認し（ＳＴＥＰ１）、操作された場合はコラム別販売本数記憶手段３に記憶されているデータと経過日数記憶手段５に記憶されているデータをクリアする（ＳＴＥＰ２）。
【００２０】
次に、タイマー２にて年月日が変化したか否かを判定し（ＳＴＥＰ３）、変化した場合は経過日数記憶手段５に記憶されているデータに経過した日数分加算し、経過日数記憶手段５に記憶する（ＳＴＥＰ４）。
【００２１】
次に、商品販売があるか否かを判定し（ＳＴＥＰ５）、商品販売がある場合はコラム別販売本数記憶手段３に記憶されているデータに販売本数分加算し、コラム別販売本数記憶手段３に記憶する（ＳＴＥＰ６）。
【００２２】
次に、売切れ予告表示操作手段８が操作されたか否かを確認し（ＳＴＥＰ７）、操作された場合は経過日数記憶手段５に記憶されている経過日数にて、コラム毎にコラム別販売本数記憶３されている販売本数を除算することで、コラム毎の一日当たりの平均販売本数を演算する。
【００２３】
そのコラム毎の一日当たりの平均販売本数にて、コラム毎にコラム別収容本数記憶手段４に記憶されている収容本数を除算し、その中で最小のデータをタイマー２より得られる現在年月日に加算し、そのデータを売切れ予告日として売切れ予告表示手段７に表示する（ＳＴＥＰ８）。
【００２４】
以上のように本実施の形態の自動販売機の制御装置は、貨幣検出選別、商品販売制御、販売情報記憶等、自動販売機全体を制御する主制御部１と、年月日をカウントするタイマー２と、コラム毎の販売本数を記憶するコラム別販売本数記憶手段３と、コラム毎の収容本数を記憶しているコラム別収容本数記憶手段４と、経過日数を記憶する経過日数記憶手段５と、関連データをクリアするデータ初期化操作手段６と、売切れ予告日を表示する売切れ予告表示手段７と、売切れ予告表示手段７に売切れ予告日の表示を開始する売切れ予告表示操作手段８と、主制御部１とタイマー２とコラム別販売本数記憶手段３とコラム別収容本数記憶手段４と経過日数記憶手段５とデータ初期化操作手段６と売切れ予告表示手段７と売切れ予告表示操作手段８に接続された演算制御部９ａとからなり、演算制御部９ａは、データ初期化操作手段６が操作された場合にコラム別販売本数記憶手段３と経過日数記憶手段５に記憶されているデータをクリアし、タイマー２にて年月日の変化を検知した場合に経過日数を経過日数記憶手段５に記憶し、商品販売が行われた場合に該当コラムの販売本数をコラム別販売本数記憶手段３に記憶し、売切れ予告表示操作手段８が操作された場合に経過日数記憶手段５に記憶されている経過日数にてコラム別販売本数記憶手段３に記憶されているコラム毎の販売本数を除算して得られる一日当りの平均販売本数と、コラム別収容本数記憶手段４に記憶されているコラム毎の収容本数より、売切れが発生する日を演算し、その日を売切れ予告日として売切れ予告表示手段７に表示することにより、売切れ予告表示操作手段８を操作すると、一日当りの平均販売本数とコラム毎の収容本数とから演算した売切れが発生する日を売切れ予告表示手段７に表示するので、オペレーターは売切発生日を知ることができ、これにより、適正な商品補充時期を判断でき、売切が発生するまでに商品補充が行え、オペレート効率向上および売切れによる販売機会の損失を防ぐことができる。
【００２５】
（実施の形態２）
以下、本発明の実施の形態２による自動販売機の制御装置について説明するが、実施の形態１と同一構成については同一符号を付してその詳細な説明は省略する。
【００２６】
図３は、本発明の実施の形態２による自動販売機の制御装置の機能ブロック図である。図４は、同実施の形態の動作を示すフローチャートである。
【００２７】
図３において、１０は売切れになるまでの余裕残数を記憶する売切れ余裕残数記憶手段、１１は売切れ余裕残数を任意に設定できる売切れ余裕残数設定手段である。
【００２８】
９ｂは演算制御部であり、売切れ余裕残数設定手段１１により設定された売切れ余裕残数を売切れ余裕残数記憶手段１０に記憶し、データ初期化操作手段６が操作された場合にコラム別販売本数記憶手段３と経過日数記憶手段５に記憶されているデータをクリアし、タイマー２にて年月日の変化を検知した場合に経過日数を経過日数記憶手段５に記憶し、商品販売が行われた場合に該当コラムの販売本数をコラム別販売本数記憶手段３に記憶し、売切れ予告表示操作手段８が操作された場合に経過日数記憶手段５に記憶されている経過日数にてコラム別販売本数記憶手段３に記憶されているコラム毎の販売本数を除算して得られる一日当りの平均販売本数と、コラム別収容本数記憶手段４に記憶されているコラム毎の収容本数と、売切れ余裕残数記憶手段１０に記憶されている売切れ余裕残数より、残数が売切れ余裕残数を下回る日を演算し、その日を売切れ予告日として売切れ予告表示手段７に表示する。
【００２９】
本実施の形態は、実施の形態１による自動販売機の制御装置に、さらに、売切れ余裕残数記憶手段１０と売切れ余裕残数設定手段１１を設け、それに合わせて実施の形態１の演算制御部９ａを演算制御部９ｂに置き換えたものである。
【００３０】
以上のように構成された自動販売機の制御装置について、以下その動作を図４のフローチャートをもとにして説明する。なお、実施の形態１による自動販売機の制御装置の演算制御部９ａと同じ動作に関しては説明を省略する。
【００３１】
まず、演算制御部９ｂは、売切れ余裕残数設定手段１１が操作されたか否かを確認し（ＳＴＥＰ９）、操作された場合は売切れ余裕残数設定手段１１にて設定されたデータを売切れ余裕残数記憶手段１０に記憶する（ＳＴＥＰ１０）。
【００３２】
次に、実施の形態１のＳＴＥＰ１からＳＴＥＰ７と同様の動作をする（ＳＴＥＰ１１〜１７）。
【００３３】
次に、売切れ予告表示操作手段８が操作された場合は経過日数記憶手段５に記憶されている経過日数にて、コラム毎にコラム別販売本数記憶３に記憶されている販売本数を除算することで、コラム毎の一日当たりの平均販売本数を演算する。そのコラム毎の一日当たりの平均販売本数にて、コラム毎にコラム別収容本数記憶手段４に記憶されている収容本数から売切れ余裕残数記憶手段１０に記憶されている売切れ余裕残数を減算したデータを除算し、その中で最小のデータをタイマー２より得られる現在年月日に加算し、そのデータを売切れ予告日として売切れ予告表示手段７に表示する（ＳＴＥＰ１８）。
【００３４】
以上のように本実施の形態の自動販売機の制御装置は、年月日をカウントするタイマー２と、コラム毎の販売本数を記憶するコラム別販売本数記憶手段３と、コラム毎の収容本数を記憶しているコラム別収容本数記憶手段４と、経過日数を記憶する経過日数記憶手段５と、関連データをクリアするデータ初期化操作手段６と、売切れ予告日を表示する売切れ予告表示手段７と、売切れ予告表示手段７に売切れ予告日の表示を開始する売切れ予告表示操作手段８と、売切れになるまでの売切れ余裕残数を記憶する売切れ余裕残数記憶手段１０と、売切れ余裕残数を任意に設定できる売切れ余裕残数設定手段１１と、タイマー２とコラム別販売本数記憶手段３とコラム別収容本数記憶手段４と経過日数記憶手段５とデータ初期化操作手段６と売切れ予告表示手段７と売切れ予告表示操作手段８と売切れ余裕残数記憶手段１０と売切れ余裕残数設定手段１１に接続された演算制御部９ｂとからなり、演算制御部９ｂは、売切れ余裕残数設定手段１１により設定された売切れ余裕残数を売切れ余裕残数記憶手段１０に記憶し、データ初期化操作手段６が操作された場合にコラム別販売本数記憶手段３と経過日数記憶手段５に記憶されているデータをクリアし、タイマー２にて年月日の変化を検知した場合に経過日数を経過日数記憶手段５に記憶し、商品販売が行われた場合に該当コラムの販売本数をコラム別販売本数記憶手段３に記憶し、売切れ予告表示操作手段８が操作された場合に経過日数記憶手段５に記憶されている経過日数にてコラム別販売本数記憶手段３に記憶されているコラム毎の販売本数を除算して得られる一日当りの平均販売本数と、コラム別収容本数記憶手段４に記憶されているコラム毎の収容本数と、売切れ余裕残数記憶手段１０に記憶されている売切れ余裕残数より、残数が売切れ余裕残数を下回る日を演算し、その日を売切れ予告日として売切れ予告表示手段７に表示するものであり、売切れ予告表示操作手段８を操作すると、一日当りの平均販売本数とコラム毎の収容本数と売切れ余裕残数とから演算した残数が売切れ余裕残数を下回る日を売切れ予告表示手段７に表示するので、オペレーターは残数が余裕残数を下回る日を知ることができ、突発的な販売増加による売切れに対し余裕を持って商品補充が行え、売切れによる販売機会の損失を防ぐことができる。
【００３５】
（実施の形態３）
以下、本発明の実施の形態３による自動販売機の制御装置について説明するが、実施の形態１、２と同一構成については同一符号を付してその詳細な説明は省略する。
【００３６】
図５は、本発明の実施の形態３による自動販売機の制御装置の構成を示す機能ブロック図である。図６は、同実施の形態の動作を示すフローチャートである。
【００３７】
図５において、１２は売切れになるまでの余裕日数を記憶する売切れ余裕日数記憶手段、１３は売切れ余裕日数を任意に設定できる売切れ余裕日数設定手段である。
【００３８】
９ｃは演算制御部であり、売切れ余裕日数設定手段１３により設定された売切れ余裕日数を売切れ余裕日数記憶手段１２に記憶し、売切れ余裕残数設定手段１１により設定された売切れ余裕残数を売切れ余裕残数記憶手段１０に記憶し、データ初期化操作手段６が操作された場合にコラム別販売本数記憶手段３と経過日数記憶手段５に記憶されているデータをクリアし、タイマー２にて年月日の変化を検知した場合に経過日数を経過日数記憶手段５に記憶し、商品販売が行われた場合に該当コラムの販売本数をコラム別販売本数記憶手段３に記憶し、売切れ予告表示操作手段８が操作された場合に経過日数記憶手段５に記憶されている経過日数にてコラム別販売本数記憶手段３に記憶されているコラム毎の販売本数を除算して得られる一日当りの平均販売本数と、コラム別収容本数記憶手段４に記憶されているコラム毎の収容本数と、売切れ余裕残数記憶手段１０に記憶されている売切れ余裕残数より、残数が売切れ余裕残数を下回る日を演算し、その日から売切れ余裕日数記憶手段１３に記憶されている売切れ余裕日数を減算した日を売切れ予告日として売切れ予告表示手段７に表示する。
【００３９】
本実施の形態は、実施の形態２による自動販売機の制御装置に、さらに、売切れ余裕日数記憶手段１２と売切れ余裕日数設定手段１３を設け、それに合わせて実施の形態２の演算制御部９ｂを演算制御部９ｃに置き換えたものである。
【００４０】
以上のように構成された自動販売機の制御装置について、以下その動作を図６のフローチャートをもとにして説明する。なお、実施の形態２による自動販売機の制御装置の演算制御部９ｂと同じ動作に関しては説明を省略する。
【００４１】
まず、演算制御部９ｃは、売切れ余裕日数設定手段１３が操作されたか否かを確認し（ＳＴＥＰ１９）、操作された場合は売切れ余裕日数設定手段１３にて設定されたデータを売切れ余裕日数記憶手段１２に記憶する（ＳＴＥＰ２０）。
【００４２】
次に、実施の形態２のＳＴＥＰ９からＳＴＥＰ１７と同様の動作をする（ＳＴＥＰ２１〜２９）。
【００４３】
次に、売切れ予告表示操作手段８が操作された場合は経過日数記憶手段５に記憶されている経過日数にて、コラム毎にコラム別販売本数記憶３されている販売本数を除算することで、コラム毎の一日当たりの平均販売本数を演算する。そのコラム毎の一日当たりの平均販売本数にて、コラム毎にコラム別収容本数記憶手段４に記憶されている収容本数から売切れ余裕残数記憶手段１０に記憶されている売切れ余裕残数を減算したデータを除算し、その中で最小のデータをタイマー２より得られる現在年月日に加算し、そのデータから売切れ余裕日数記憶手段１２に記憶されている売切れ余裕日数を減算し、そのデータを売切れ予告日として売切れ予告表示手段７に表示する（ＳＴＥＰ３０）。
【００４４】
以上のように本実施の形態の自動販売機の制御装置は、実施の形態２による自動販売機の制御装置の演算制御部９ｂにさらに、売切れになるまでの余裕日数を記憶する売切れ余裕日数記憶手段１２と、売切れ余裕日数を任意に設定できる売切れ余裕日数設定手段１３を設け、演算制御部９ｃは、売切れになるまでの余裕日数を記憶する売切れ余裕日数記憶手段１２と、売切れ余裕日数を任意に設定できる売切れ余裕日数設定手段１３を備え、演算制御部９ｃは、売切れ予告表示操作手段８が操作された場合に経過日数記憶手段５に記憶されている経過日数にてコラム別販売本数記憶手段３に記憶されているコラム毎の販売本数を除算して得られる一日当りの平均販売本数と、コラム別収容本数記憶手段４に記憶されているコラム毎の収容本数と、売切れ余裕残数記憶手段１０に記憶されている売切れ余裕残数より、残数が売切れ余裕残数を下回る日を演算し、その日から売切れ余裕日数記憶手段１２に記憶されている売切れ余裕日数を減算した日を売切れ予告日として売切れ予告表示手段７に表示するものであり、売切れ予告表示操作手段８を操作すると、一日当りの平均販売本数とコラム毎の収容本数と売切れ余裕残数とから演算した残数が売切れ余裕残数を下回る日から売切れ余裕日数を減算した日を売切れ予告表示手段７に表示するので、オペレーターは売切れ発生日より余裕日数分前の日を知ることができ、突発的な販売増加による売切れに対し少なくとも一日以上の余裕を持って商品補充が行え、売切れによる販売機会の損失を防ぐことができる。
【００４６】
【発明の効果】
以上説明したように、請求項１に記載の発明は、売切れ予告表示操作手段が操作された場合に経過日数記憶手段に記憶されている経過日数にてコラム別販売本数記憶手段に記憶されているコラム毎の販売本数を除算して得られる一日当りの平均販売本数と、コラム別収容本数記憶手段に記憶されているコラム毎の収容本数と、突発的な販売増加による売切れに対し余裕を持って商品補充が行えるように売切れ余裕残数記憶手段に記憶されている売切れ余裕残数より、残数が売切れ余裕残数を下回る日を演算し、その日を売切れ予告日として売切れ予告表示手段に表示することで、突発的な販売増加による販売機会の損失を防ぐことにより、オペレーターは残数が余裕残数を下回る日を知ることができ、突発的な販売増加による売切れに対し余裕を持って商品補充が行え、売切れによる販売機会の損失を防ぐことができる。
【図面の簡単な説明】
【図１】本発明による自動販売機の制御装置の実施の形態１の機能ブロック図
【図２】同実施の形態の自動販売機の制御装置の動作を示すフローチャート
【図３】本発明による自動販売機の制御装置の実施の形態２の機能ブロック図
【図４】同実施の形態の自動販売機の制御装置の動作を示すフローチャート
【図５】本発明による自動販売機の制御装置の実施の形態３の機能ブロック図
【図６】同実施の形態の自動販売機の制御装置の動作を示すフローチャート
【図７】従来の自動販売機の制御装置の機能ブロック図
【符号の説明】
１  主制御部
２  タイマー
３  コラム別販売本数記憶手段
４  コラム別収容本数記憶手段
５  経過日数記憶手段
６  データ初期化操作手段
７  売切れ予告表示操作手段
８  売切れ予告表示手段
９ａ，９ｂ，９ｃ  演算制御部
１０  売切れ余裕残数記憶手段
１１  売切れ余裕残数設定手段
１２  売切れ余裕日数記憶手段
１３  売切れ余裕日数設定手段
【図１】
0004622088.tif 000002
【図２】
0004622088.tif 000003
【図３】
0004622088.tif 000004
【図４】
0004622088.tif 000005
【図５】
0004622088.tif 000006
【図６】
0004622088.tif 000007
【図７】
0004622088.tif 000008